(57)【要約】【課題】扉操作部が開閉体とともに回動して回収扉を閉操作する際に、回収扉上における扉操作部の滑りを小さく抑えることができる遊技機を提供する。【解決手段】球排出流路から落下してきた遊技球を回収可能な球回収口３５と、扉回動軸４１を中心に回動して球回収口３５を開閉可能な回収扉４０とを備え、透明部材保持枠９の球導入樋３１に扉操作部５０を設け、回収扉４０は、扉回動軸４１から外れた位置に押圧受部５１を設け、透明部材保持枠９を閉じると、扉操作部５０が押圧受部５１を押圧して回収扉４０を閉状態へ変換させ、透明部材保持枠９を開くと、扉操作部５０が押圧受部５１から離間して回収扉４０を開状態へ変換することを許容し、回収扉４０を開状態へ変換すると、押圧受部５１を、前面枠の左右方向に沿って開閉中心軸Ｃ側へ向かうにつれて前後方向の位置が次第に開閉中心軸Ｃ側に近づく傾斜面に設定した状態で扉操作部５０へ臨ませる。【選択図】図７
2010187720.tif 000002
【特許請求の範囲】
【請求項１】
前面枠と、該前面枠の前面の一側に軸着され、縦向きの開閉中心軸を中心にして開閉可能な開閉体と、該開閉体に設けられた開閉側球流下路と、前面枠側に設けられた枠側球流下路と、を備え、開閉体を前面枠に対して閉じると開閉側球流下路と枠側球流下路とが連通して、遊技球を枠側球流下路から開閉側球流下路へ流下可能となる遊技機において、
前記前面枠のうち枠側球流下路の下流端の下方には、枠側球流下路から落下してきた遊技球を回収可能な球回収口と、扉回動軸を中心に回動して球回収口を開閉可能な回収扉と、を備え、
前記開閉体には、前記開閉側球流下路を区画形成する筒状流路部材を前面枠側へ向けて突設し、該筒状流路部材に扉操作部を設け、
前記回収扉は、扉回動軸から外れた位置に、前記扉操作部が前面枠側へ向けて押圧可能な押圧受部を設け、開閉体を前面枠に対して閉じると、扉操作部が押圧受部を押圧して回収扉を閉状態へ変換させ、開閉体を前面枠に対して開くと、扉操作部が押圧受部から離間して回収扉を開状態へ変換することを許容し、
前記回収扉を開状態へ変換すると、押圧受部を、前面枠の左右方向に沿って開閉中心軸側へ向かうにつれて前後方向の位置が次第に開閉中心軸側に近づく傾斜面に設定した状態で扉操作部へ臨ませることを特徴とする遊技機。
【請求項２】
前記回収扉は、球回収口の開口縁のうち当該球回収口を挟んで枠側球流下路の下流端とは反対側の位置に起立した姿勢で開状態となることを特徴とする請求項１に記載の遊技機。
【請求項３】
前記回収扉は、開状態において下縁部となる位置に前記扉回動軸を横向きで設定し、開状態において扉回動軸よりも上方に位置する箇所に前記押圧受部を設けたことを特徴とする請求項２に記載の遊技機。
【発明の詳細な説明】
【技術分野】
【０００１】
本発明は、前面枠と、該前面枠の前面の一側に開閉可能な状態で軸着された開閉体と、該開閉体に設けられた開閉側球流下路と、前面枠側に設けられた枠側球流下路と、を備え、開閉体を前面枠に対して閉じると開閉側球流下路と枠側球流下路とが連通して、遊技球を枠側球流下路から開閉側球流下路へ流下可能となるパチンコ遊技機等の遊技機に関する。
【背景技術】
【０００２】
従来の遊技機、例えば、パチンコ遊技機においては、前面枠（本体枠）の前面の一側に開閉体としての前枠扉を軸着し、該前枠扉に球貯留ユニット（上受皿）を備え、該球貯留ユニットの後部には、遊技球を球貯留ユニットへ導出する開閉側球流下路を球導出樋部内に区画形成して設けている。また、前面枠には、遊技球を流下可能な枠側球流下路を備え、球貯留ユニットを前面枠に対して閉じた状態で枠側球流下路の下流開口と球導出樋部とを連通して、遊技球を枠側球流下路から球貯留ユニットへ供給できるように構成されている。さらに、枠側球流下路の下流開口の下方には球回収口を開設し、前枠扉を開くと、球回収口の回収扉（開閉板）が起立状態で開いて枠側球流下路から流下してきた遊技球を球回収口へ回収可能とし、前枠扉を閉じると、球導出樋部が扉操作部として機能して回収扉を押圧して球回収路を倒伏状態で閉じるように構成する旨が提案されている（例えば、特許文献１参照）。
【先行技術文献】
【特許文献】
【０００３】
【特許文献１】特開２００８−００６０４０号公報
【発明の概要】
【発明が解決しようとする課題】
【０００４】
ところで、上記特許文献に記載のパチンコ遊技機では、球導出樋部により回収扉を押圧して起立状態から倒伏状態へ変換させる際に、球導出樋部が回収扉の表面を滑ってしまう。このため、滑りにエネルギーが費やされて、球導出樋部の押圧力が効率よく回収扉へ伝達せず、好ましくない。
【０００５】
そこで、本発明は、上記の事情に鑑みてなされたものであり、その目的は、扉操作部が開閉体とともに回動して回収扉を閉操作する際に、回収扉上における扉操作部の滑りを小さく抑えることができる遊技機を提供しようとするものである。
【課題を解決するための手段】
【０００６】
本発明は、上記目的を達成するために提案されたものであり、請求項１に記載のものは、前面枠と、該前面枠の前面の一側に軸着され、縦向きの開閉中心軸を中心にして開閉可能な開閉体と、該開閉体に設けられた開閉側球流下路と、前面枠側に設けられた枠側球流下路と、を備え、開閉体を前面枠に対して閉じると開閉側球流下路と枠側球流下路とが連通して、遊技球を枠側球流下路から開閉側球流下路へ流下可能となる遊技機において、
前記前面枠のうち枠側球流下路の下流端の下方には、枠側球流下路から落下してきた遊技球を回収可能な球回収口と、扉回動軸を中心に回動して球回収口を開閉可能な回収扉と、を備え、
前記開閉体には、前記開閉側球流下路を区画形成する筒状流路部材を前面枠側へ向けて突設し、該筒状流路部材に扉操作部を設け、
前記回収扉は、扉回動軸から外れた位置に、前記扉操作部が前面枠側へ向けて押圧可能な押圧受部を設け、開閉体を前面枠に対して閉じると、扉操作部が押圧受部を押圧して回収扉を閉状態へ変換させ、開閉体を前面枠に対して開くと、扉操作部が押圧受部から離間して回収扉を開状態へ変換することを許容し、
前記回収扉を開状態へ変換すると、押圧受部を、前面枠の左右方向に沿って開閉中心軸側へ向かうにつれて前後方向の位置が次第に開閉中心軸側に近づく傾斜面に設定した状態で扉操作部へ臨ませることを特徴とする遊技機である。
【０００７】
請求項２に記載のものは、前記回収扉は、球回収口の開口縁のうち当該球回収口を挟んで枠側球流下路の下流端とは反対側の位置に起立した姿勢で開状態となることを特徴とする請求項１に記載の遊技機である。
【０００８】
請求項３に記載のものは、前記回収扉は、開状態において下縁部となる位置に前記扉回動軸を横向きで設定し、開状態において扉回動軸よりも上方に位置する箇所に前記押圧受部を設けたことを特徴とする請求項２に記載の遊技機である。
【発明の効果】
【０００９】
本発明によれば、以下のような優れた効果を奏する。
請求項１に記載の発明によれば、前面枠と、該前面枠の前面の一側に軸着され、縦向きの開閉中心軸を中心にして開閉可能な開閉体と、該開閉体に設けられた開閉側球流下路と、前面枠側に設けられた枠側球流下路と、を備え、開閉体を前面枠に対して閉じると開閉側球流下路と枠側球流下路とが連通して、遊技球を枠側球流下路から開閉側球流下路へ流下可能となる遊技機において、前面枠のうち枠側球流下路の下流端の下方には、枠側球流下路から落下してきた遊技球を回収可能な球回収口と、扉回動軸を中心に回動して球回収口を開閉可能な回収扉と、を備え、開閉体には、前記開閉側球流下路を区画形成する筒状流路部材を前面枠側へ向けて突設し、該筒状流路部材に扉操作部を設け、回収扉は、扉回動軸から外れた位置に、前記扉操作部が前面枠側へ向けて押圧可能な押圧受部を設け、開閉体を前面枠に対して閉じると、扉操作部が押圧受部を押圧して回収扉を閉状態へ変換させ、開閉体を前面枠に対して開くと、扉操作部が押圧受部から離間して回収扉を開状態へ変換することを許容し、回収扉を開状態へ変換すると、押圧受部を、前面枠の左右方向に沿って開閉中心軸側へ向かうにつれて前後方向の位置が次第に開閉中心軸側に近づく傾斜面に設定した状態で扉操作部へ臨ませるので、扉操作部が開閉体とともに回動して回収扉を閉操作する際に、押圧受部上における扉操作部の滑りを小さく抑えることができる。したがって、滑りに費やされるエネルギーロスが減少し、扉操作部による押圧力を効率よく回収扉へ伝達して、回収扉を滞りなく閉じることができる。
【００１０】
請求項２に記載の発明によれば、回収扉は、球回収口の開口縁のうち当該球回収口を挟んで枠側球流下路の下流端とは反対側の位置に起立した姿勢で開状態となるので、枠側球流下路から落下する遊技球を球回収口の上方から外れることを開状態の回収扉により阻止することができ、この遊技球を支障なく球回収口へ誘導することができる。
【００１１】
請求項３に記載の発明によれば、回収扉は、開状態において下縁部となる位置に前記扉回動軸を横向きで設定し、開状態において扉回動軸よりも上方に位置する箇所に前記押圧受部を設けたので、扉操作部の押圧力だけではなく押圧受部の重さをも利用して回収扉を閉状態へ変換することができる。したがって、回収扉を迅速に閉状態へ変換し易い。
【図面の簡単な説明】
【００１２】
【図１】パチンコ遊技機の斜視図である。
【図２】透明部材保持枠を開放した状態におけるパチンコ遊技機の斜視図である。
【図３】前面枠本体からファール流路形成パネルを外した状態の部分拡大図である。
【図４】ファール流路形成パネルの後方から見た斜視図である。
【図５】ファール流路形成パネルの分解斜視図である。
【図６】球回収口を含む前面枠の部分断面図であり、（ａ）は透明部材保持枠を開いた状態の部分断面図、（ｂ）は透明部材保持枠を閉じた状態の部分断面図である。
【図７】扉操作部が回収扉の押圧受部を押圧する動作の説明図である。
【図８】透明部材保持枠の開閉中心軸を扉回動軸よりも後方に設定した実施形態において、扉操作部が回収扉の押圧受部を押圧する動作の説明図である。
【発明を実施するための形態】
【００１３】
以下、代表的な遊技機であるパチンコ遊技機を例に挙げて本発明の実施の形態を図面に基づき説明する。
パチンコ遊技機１は、図１および図２に示すように、矩形状の機枠（外枠）２に前面枠（内枠）３を開閉可能な状態で軸着し、該前面枠３のベースとなる前面枠本体４の表面側には、円形状の遊技領域５が区画形成された遊技盤６を着脱可能としている。また、前面枠本体４の前面の一側（図１中、左側）には透明部材保持枠９（本発明における開閉体に相当）を開閉可能な状態、詳しくは縦向きの開閉中心軸Ｃを中心にして開閉可能な状態で軸着し、該透明部材保持枠９には透視可能な透明部材１０を保持し、透明部材保持枠９の下部（言い換えると、透明部材１０の下方）には、遊技球を貯留可能な上皿ユニット１１を備えている。そして、透明部材保持枠９を閉じて前面枠本体４の表側に透明部材保持枠９を重合すると、遊技盤６の前面が透明部材保持枠９により被覆されるとともに、透明部材１０が遊技領域５の前方に配置され、透明部材１０を通して遊技領域５を前方から視認できるように構成されている。また、前面枠本体４のうち透明部材保持枠９の下方には下皿ユニット１２を備え、該下皿ユニット１２の左側にスピーカー１４を備え、下皿ユニット１２の右側には、発射装置１５（図２および図３参照）を操作するための発射操作ユニット（発射操作ハンドル）１６を備えている。なお、透明部材保持枠９の表面のうち透明部材１０の外方に位置する箇所には複数の装飾ランプ１８を配置し、上皿ユニット１１の上部には、遊技者が遊技中に操作可能な遊技演出用ボタン１９を備えている。
【００１４】
前面枠本体４は、大きな矩形状の開口を上寄りに開設した合成樹脂製枠体であり、額縁状の遊技盤収納フレーム２０を備え、該遊技盤収納フレーム２０内に遊技盤６を着脱可能な状態で収納している。また、遊技盤収納フレーム２０の下方にはフレームボード部２１を備え、該フレームボード部２１の上端には遊技盤載置部２２を設け、該遊技盤載置部２２に遊技盤６の下端を載置している。さらに、図２および図３に示すように、フレームボード部２１の前面には、遊技球を遊技領域５へ向けて発射する発射装置１５を備え、該発射装置１５の側方（図３中、左側方）、詳しくは発射装置１５よりも透明部材保持枠９の開閉中心軸Ｃ寄りの位置、且つ開閉中心軸Ｃよりも後方の位置（図７参照）には、ファール流路形成パネル２５を止着してファール流路２６を左右に蛇行する状態（図４参照）で区画形成し、該ファール流路２６の上流開口（入口）２６ａを発射装置１５と遊技盤６の一側寄りの下縁部（図２中、左側下縁部）との間に臨ませてファール球（発射装置１５から発射されたが遊技領域５に到達せずに逆流してきた遊技球）をファール流路２６へ回収可能とし、ファール流路２６の下流端（出口）２６ｂを下皿ユニット１２へ連通して、ファール球をファール流路２６へ通して下皿ユニット１２に導出できるように構成されている。なお、ファール流路形成パネル２５の開閉中心軸Ｃ側（図３中、左側）の構造については、後で詳細に説明する。
【００１５】
また、前面枠本体４の裏側の一側、具体的には透明部材保持枠９の開閉中心軸Ｃ寄り（図２中、左寄り）の位置には、遊技球を排出可能な球排出機構２８を備え、フレームボード部２１のうちファール流路２６の上流開口２６ａと透明部材保持枠９の開閉中心軸Ｃとの間には、球排出流路２９（本発明における枠側球流下路に相当）の下流開口（下流端）２９ａを前面枠本体４の前方へ向けて開放している。さらに、球排出機構２８と球排出流路２９の上流端とを連通し、遊技球を球排出機構２８から球排出流路２９へ排出できるように構成されている。また、透明部材保持枠９には、筒状の球導入樋３１（本発明における筒状流路部材に相当）を上皿ユニット１１の裏側から前面枠３側へ向けて突出し、球導入樋３１内に球導入流路３２（本発明における開閉側球流下路に相当）を透明部材保持枠９の裏面側から表面側（上皿ユニット１１側）へ下り傾斜した姿勢で区画形成し、球導入流路３２の下流開口３２ａを上皿ユニット１１内の球貯留部１１ａへ連通している（図１および図６（ｂ）参照）。そして、透明部材保持枠９を前面枠本体４に対して閉じると、球導入流路３２の上流開口３２ｂと球排出流路２９の下流開口２９ａとが連通し、遊技球を球排出流路２９から球導入流路３２へ流下して上皿ユニット１１内に導入可能としている。
【００１６】
さらに、前面枠本体４は、図２および図３に示すように、ファール流路形成パネル２５のうち球排出流路２９の下流端の下方に位置する箇所、具体的には、ファール流路形成パネル２５の上面の開閉中心軸Ｃ寄り（図２中、左寄り）の位置に、横長な球回収口３５を上方へ向けて開放可能な姿勢、且つ横方向の開口幅を球排出流路２９の下流開口２９ａの横幅よりも広く設定した状態で開設している。そして、球排出流路２９から排出された遊技球が球導入流路３２へ流入せずに下方へ落下した場合には、この遊技球を球回収口３５へ回収できるように構成されている。また、図４に示すように、球回収口３５とファール流路２６とを球回収流路３６で連通し、該球回収流路３６を球回収口３５からファール流路２６の途中へ向けて下り傾斜した姿勢に設定し、球回収口３５へ回収された遊技球を球回収流路３６およびファール流路２６へ通して下皿ユニット１２へ誘導可能としている。
【００１７】
そして、図３〜図５に示すように、ファール流路形成パネル２５には、球回収口３５を開閉可能な回収扉４０を備え、透明部材保持枠９の開閉に伴って回収扉４０を回動して球回収口３５を開閉できるように構成されている。詳細に説明すると、回収扉４０は、当該回収扉４０の回動中心となる扉回動軸４１を開閉中心軸Ｃよりも後方の位置（図７参照）で横向き姿勢に設定して備え、該扉回動軸４１から横長短冊状の扉本体４２を扉回動軸４１の軸方向と直交する方向へ向けて突出して構成されている。また、扉回動軸４１をファール流路形成パネル２５の上部、詳しくは球回収口３５の開口縁のうち当該球回収口３５を挟んで球排出流路２９の下流開口２９ａとは反対側に位置する前側縁部（扉軸着位置）に回動可能な状態で軸着し、扉本体４２を扉軸着位置から上方へ起立した姿勢で開状態となって球回収口３５を開放する（図６（ａ）参照）。この開状態では、扉回動軸４１を当該回収扉４０の下縁部に位置させるとともに、扉本体４２を扉回動軸４１よりも上方に位置させる。さらに、扉本体４２の上縁部を球排出流路２９の下流開口２９ａの下縁部および球導入流路３２の上流開口３２ｂの下縁部よりも上方に位置させる。また、この開状態から当該回収扉４０を回動して扉本体４２の起立端（上端）を後方へ倒すと、扉本体４２を扉軸着位置から後方へ突出した姿勢で閉状態となって球回収口３５を閉成する（図６（ｂ）参照）。
【００１８】
なお、図５に示すように、扉回動軸４１には、開状態の扉本体４２から回収扉４０の前方へ向けて９０度位相をずらした位置に付勢係止片４４を突設し、該付勢係止片４４にコイルばね等の付勢部材４５の一端（上端）を係止し、付勢部材４５の他端（下端）をファール流路形成パネル２５の前面のうち扉回動軸４１よりも下方の位置に係止して、回収扉４０を開状態へ変換する回動方向へ常時付勢している。さらに、回収扉４０のうち扉回動軸４１を挟んで扉本体４２とは反対側には係合突起４７を突設しており、回収扉４０を開状態へ変換すると、係合突起４７がファール流路形成パネル２５の上縁部に前方から係合して回収扉４０の開状態を維持し、扉本体４２が開状態の位置よりも前方へ回動して倒れることを阻止している。
【００１９】
また、図７に示すように、透明部材保持枠９の球導入樋３１、詳しくは球導入樋３１（球導入流路３２）の上流端の下縁部の一側（開閉中心軸Ｃ側）を扉操作部５０とし、回収扉４０のうち扉回動軸４１から外れた位置、具体的には、起立した開状態において扉回動軸４１よりも上方に位置する扉本体４２の前面には、平面状の押圧受部５１を設け、扉操作部５０が押圧受部５１を後方の前面枠３側へ向けて押圧できるように構成されている。さらに、押圧受部５１を扉回動軸４１に対して傾斜させて、押圧受部５１を扉回動軸４１に沿って開閉中心軸Ｃ側へ向かうにつれて次第に扉回動軸４１から離れる状態に設定している。そして、回収扉４０の開状態において、押圧受部５１を、前面枠３の左右方向（言い換えると扉回動軸４１の延在方向）に沿って開閉中心軸Ｃ側へ向かうにつれて前後方向の位置（すなわち前面）が次第に前方の開閉中心軸Ｃ側に近づく傾斜面に設定してあり、この傾斜した面、すなわち押圧受部５１に扉操作部５０を臨ませている。一方、回収扉４０を閉状態へ変換すると、押圧受部５１が前面枠３の左右方向（言い換えると扉回動軸４１の延在方向）に沿って開閉中心軸Ｃ側へ向けて下り傾斜するように設定している。
【００２０】
このような構成の球回収口３５、回収扉４０、扉操作部５０を備えたパチンコ遊技機１において、図２および図６（ａ）に示すように、透明部材保持枠９を前面枠３に対して開くと、球導入樋３１が球排出流路２９の下流開口２９ａから前方へ十分に離れ、扉操作部５０が押圧受部５１から離間して回収扉４０を閉状態から開状態へ変換することを許容する。すると、付勢部材４５の付勢力により回収扉４０が回動して開状態へ変換し、球回収口３５を上方へ向けて開放して球排出流路２９の下流開口２９ａへ下方から臨ませ、扉本体４２を扉回動軸４１から上方へ起立した姿勢で停止する。そして、球排出流路２９から遊技球が落下してきた場合には、この遊技球を球回収口３５へ受け入れて回収し、球回収流路３６およびファール流路２６へ通して下皿ユニット１２へ排出する。さらに、回収扉４０の扉本体４２は、球回収口３５の開口縁のうち当該球回収口３５を挟んで球排出流路２９の下流開口２９ａとは反対側に位置する前縁部に起立しているので、球排出流路２９から落下する遊技球を球回収口３５の上方から外れることを起立状態の回収扉４０により阻止することができ、この遊技球を支障なく球回収口３５へ誘導することができる。
【００２１】
また、図７に示すように、透明部材保持枠９を開状態から閉状態へ変換するために後方へ回動すると、球導入樋３１が開閉中心軸Ｃを中心に回動して前面枠本体４へ前方から近づき、球排出流路２９の下流開口２９ａに球導入流路３２の上流開口３２ｂを接続する前に、扉操作部５０が押圧受部５１へ当接する。この状態でさらに透明部材保持枠９を後方へ回動すると、扉操作部５０が押圧受部５１を後方の前面枠本体４側へ押圧して、扉本体４２を付勢部材４５の付勢力に抗して扉回動軸４１周りに回動させて回収扉４０を開状態から閉状態へ変換させる。ここで、開状態の回収扉４０は、押圧受部５１を、前面枠３の左右方向に沿って開閉中心軸Ｃ側へ向かうにつれて、次第に開閉中心軸Ｃ側に近づく傾斜面に設定した状態で扉操作部５０へ臨ませているので、扉操作部５０が押圧受部５１へ与える押圧力Ｆのベクトル（作用方向）と押圧受部５１の延在方向とが直交に近い状態となる。これにより、扉操作部５０が透明部材保持枠９とともに回動して回収扉４０を閉操作する際に、押圧受部５１上における扉操作部５０の滑り（摺動）を小さく抑えることができる。したがって、滑りに費やされるエネルギーロスが減少し、扉操作部５０による押圧力Ｆを効率よく回収扉４０へ伝達して、回収扉４０を滞りなく閉じることができる。
【００２２】
さらに、開状態の回収扉４０は、扉回動軸４１を横向きで設定し、開状態において扉回動軸４１よりも上方に位置する箇所に扉本体４２および押圧受部５１を設けているので、扉操作部５０の押圧力Ｆだけではなく押圧受部５１の重さ（具体的には扉本体４２の重さ）をも利用して回収扉４０を閉状態へ変換することができる。したがって、回収扉４０を迅速に閉状態へ変換し易い。
【００２３】
そして、図６（ｂ）に示すように、透明部材保持枠９を後方へ回動し続け、前面枠３に対して十分に閉じると、球導入樋３１が球導入流路３２の上流開口３２ｂを球排出流路２９の下流開口２９ａへ接合して連通し、遊技球を球排出流路２９から球導入流路３２を通して上皿ユニット１１へ払出可能となる。また、回収扉４０が押圧受部５１を扉操作部５０により十分に押圧されて閉状態（扉本体４２を扉回動軸４１から後方へ突出した姿勢）となり、球回収口３５を閉成する。さらに、扉本体４２が球導入樋３１の下方に潜り込むとともに球導入樋３１の下面へ当接して、扉本体４２が上方へ回動することを阻止されて回収扉４０が閉状態を維持する。言い換えると、球導入樋３１が付勢部材４５の付勢力に抗して回収扉４０を上方から押さえ付けて、回収扉４０が閉状態から開状態へ変換することを阻止する。
【００２４】
ところで、上記実施形態では、回収扉４０の扉回動軸４１を透明部材保持枠９の開閉中心軸Ｃよりも後方に設定し、回収扉４０の開状態においては、押圧受部５１を前面枠３の左右方向に沿って開閉中心軸Ｃ側へ向かうにつれて前後方向の位置が次第に前方の開閉中心軸Ｃ側に近づく傾斜面に設定したが、本発明はこれに限定されない。例えば、図８に示すように、回収扉４０の扉回動軸４１を透明部材保持枠９の開閉中心軸Ｃよりも前方に設定した場合には、回収扉４０の開状態においては、押圧受部５１を前面枠３の左右方向に沿って開閉中心軸Ｃ側へ向かうにつれて前後方向の位置が次第に後方の開閉中心軸Ｃ側に近づく傾斜面に設定すれば、扉操作部５０が透明部材保持枠９とともに回動して回収扉４０を閉操作する際に、押圧受部５１上における扉操作部５０の滑りを小さく抑えることができる。
【００２５】
また、上記実施形態では、開閉側球流下路を備えた開閉体として、球導入流路３２を備えた透明部材保持枠９を例示したが、本発明はこれに限定されない。本発明における開閉体は、前面枠３に対して開閉可能であり、且つ遊技球を流下可能な構成要素を備えていればどのようなものでもよく、例えば、遊技球を貯留（流下）可能な球貯留皿を備え、透明部材保持枠９とは別個に前面枠３へ軸着された球貯留ユニットであってもよい。さらに、上記実施形態では、扉本体４２の表面に押圧受部５１を設けたが、本発明はこれに限定されない。要は、開閉体を前面枠に対して閉じると、扉操作部が押圧受部を押圧して回収扉を閉状態へ変換させ、開閉体を前面枠に対して開くと、扉操作部が押圧受部から離間して回収扉を開状態へ変換することを許容すれば、どのような構成の押圧受部であってもよい。例えば、押圧受部を扉本体とは別個の部材で構成してもよい。
【００２６】
また、上記実施形態では、代表的な遊技機であるパチンコ遊技機を例にして説明したが、本発明はこれに限らず、前面枠と、該前面枠の前面の一側に軸着され、縦向きの開閉中心軸を中心にして開閉可能な開閉体と、該開閉体に設けられた開閉側球流下路と、前面枠側に設けられた枠側球流下路と、を備え、開閉体を前面枠に対して閉じると開閉側球流下路と枠側球流下路とが連通して、遊技球を枠側球流下路から開閉側球流下路へ流下可能となる遊技機であればどのような遊技機でもよい。例えば、封入球式パチンコ機、アレンジボール式遊技機、雀球式遊技機等の遊技機であってもよい。
【００２７】
なお、前記した実施の形態は全ての点で例示であって制限的なものではないと考えられるべきである。本発明は、上記した説明に限らず特許請求の範囲によって示され、特許請求の範囲と均等の意味及び範囲内での全ての変更が含まれるものである。
【符号の説明】
【００２８】
１  パチンコ遊技機
３  前面枠
４  前面枠本体
９  透明部材保持枠
１１  上皿ユニット
１１ａ  球貯留部
１２  下皿ユニット
２５  ファール流路形成パネル
２６  ファール球流路
２６ａ  上流開口
２８  球排出機構
２９  球排出流路
２９ａ  下流開口
３１  球導入樋
３２  球導入流路
３２ａ  下流開口
３２ｂ  上流開口
３５  球回収口
３６  球回収流路
４０  回収扉
４１  扉回動軸
４２  扉本体
５０  扉操作部
５１  押圧受部
【図１】
2010187720.tif 000003
【図２】
2010187720.tif 000004
【図３】
2010187720.tif 000005
【図４】
2010187720.tif 000006
【図５】
2010187720.tif 000007
【図６】
2010187720.tif 000008
【図７】
2010187720.tif 000009
【図８】
2010187720.tif 000010